(57)【要約】【課題】  遮蔽板の着脱操作が容易で不快な騒音を発生させないようにすること。【解決手段】  各シャーシ側板２Ａに所定間隔をおいて複数のロック杆１５が一体突設され、その各ロック杆１５の外側面１５ａが各シャーシ側板２Ａの外側角部２５よりもローダーシャーシ２の中央側に後退され、遮蔽板本体１８Ａの両側縁に一体突設した各突出板１８Ｄが斜め下向きに所定の傾斜角度で折り曲げられることにより、その各突出板１８Ｄに一体形成した各舌片２１が斜め上向きに傾斜されており、各遮蔽板１８の嵌合孔２０をを各ロック杆１５に遊嵌合させて遮蔽板本体１８Ａを両シャーシ側板２Ａ上に載置することにより、各突出板１８Ｄが各シャーシ側板２Ａの外側角部２５に押し付けられて外向きに弾性変位され、それに連動して各舌片２１が内向きに弾性変位されて該各舌片２１の先端縁２１ａが各ロック杆１５の外側面１５ａに圧接されている。【選択図】        図４
2008171463.tif 000002
【特許請求の範囲】
【請求項１】
ローダーシャーシ内の前方にターンテーブルが配置されると共に、該ローダーシャーシ
の後方に光ピックアップが配置され、前記ターンテーブルに対向してローダーシャーシの
両シャーシ側板間に横桁が架設され、該横桁の中央にクランパを一定範囲内昇降可能に収
納するクランパ収納部が一体形成され、その横桁に隣接して光ピックアップに対向する遮
蔽板が両シャーシ側板間に載置されており、前記クランパとターンテーブルとでディスク
をクランプし、ターンテーブルによりディスクを高速回転させると共に、そのディスクに
光ピックアップからレーザ光を投射し、その反射光に基づいてディスクに記録されている
情報を読み取るようにしたディスク装置において、前記各シャーシ側板に所定間隔をおい
て複数のロック杆が一体突設されると共に、該各ロック杆の上部が各シャーシ側板の上面
から上方に突出され、その各ロック杆の外側面が各シャーシ側板の上面と外側面との間の
外側角部よりもローダーシャーシの中央側に後退され、前記遮蔽板が、金属板により成形
されて両シャーシ側板間に架設される遮蔽板本体と、前記各ロック杆に対向して遮蔽板本
体の両側縁に一体突設された弾性変位可能な複数の突出板とからなり、該各突出板から遮
蔽板本体にかけて嵌合孔が貫設され、該各嵌合孔の突出板側の内周縁に舌片が一体突設さ
れ、前記各突出板が斜め下向きに所定の傾斜角度で折り曲げられることにより、各舌片が
斜め上向きに傾斜されており、各嵌合孔を各ロック杆に遊嵌合させて遮蔽板本体を両シャ
ーシ側板上に載置することにより、各突出板が各シャーシ側板の外側角部に押し付けられ
て外向きに弾性変位され、それに連動して各舌片が内向きに弾性変位されて該各舌片の先
端縁が各ロック杆の外側面に圧接され、前記各突出板の傾斜角度が遮蔽板本体に対して直
交する仮想線から１５°〜３５°（好ましくは２０°〜２５°）に設定され、前記各ロッ
ク杆の上端部に抜止フックが一体突設され、前記遮蔽板本体の前端縁中央に一体突設した
クランパ押さえ板の先端に対向してクランパ収納部に係合孔が形成されており、該係合孔
にクランパ押さえ板の先端を弾性変位させて嵌入させていることを特徴とするディスク装
置。
【請求項２】
ローダーシャーシ内の前方にターンテーブルが配置されると共に、該ローダーシャーシ
の後方に光ピックアップが配置され、前記ターンテーブルに対向してローダーシャーシの
両シャーシ側板間に横桁が架設され、該横桁の中央にクランパを一定範囲内昇降可能に収
納するクランパ収納部が一体形成され、その横桁に隣接して光ピックアップに対向する遮
蔽板が両シャーシ側板間に載置されており、前記クランパとターンテーブルとでディスク
をクランプし、ターンテーブルによりディスクを高速回転させると共に、そのディスクに
光ピックアップからレーザ光を投射し、その反射光に基づいてディスクに記録されている
情報を読み取るようにしたディスク装置において、前記各シャーシ側板に所定間隔をおい
て複数のロック杆が一体突設されると共に、該各ロック杆の上部が各シャーシ側板の上面
から上方に突出され、その各ロック杆の外側面が各シャーシ側板の上面と外側面との間の
外側角部よりもローダーシャーシの中央側に後退され、前記遮蔽板が、金属板により成形
されて両シャーシ側板間に架設される遮蔽板本体と、前記各ロック杆に対向して遮蔽板本
体の両側縁に一体突設された弾性変位可能な複数の突出板とからなり、該各突出板から遮
蔽板本体にかけて嵌合孔が貫設され、該各嵌合孔の突出板側の内周縁に舌片が一体突設さ
れ、前記各突出板が斜め下向きに所定の傾斜角度で折り曲げられることにより、各舌片が
斜め上向きに傾斜されており、各嵌合孔を各ロック杆に遊嵌合させて遮蔽板本体を両シャ
ーシ側板上に載置することにより、各突出板が各シャーシ側板の外側角部に押し付けられ
て外向きに弾性変位され、それに連動して各舌片が内向きに弾性変位されて該各舌片の先
端縁が各ロック杆の外側面に圧接されていることを特徴とするディスク装置。
【請求項３】
前記各突出板の傾斜角度が遮蔽板本体に対して直交する仮想線から１５°〜３５°（好
ましくは２０°〜２５°）に設定されていることを特徴とする請求項２に記載のディスク
装置。
【請求項４】
前記各ロック杆の上端部に抜止フックが一体突設されていることを特徴とする請求項２
または３に記載のディスク装置。
【請求項５】
前記遮蔽板本体の前端縁中央に一体突設したクランパ押さえ板の先端に対向してクラン
パ収納部に係合孔が形成されており、該係合孔にクランパ押さえ板の先端を弾性変位させ
て嵌入させていることを特徴とする請求項２〜４のいずれかに記載のディスク装置。
【発明の詳細な説明】
【技術分野】
【０００１】
本発明は、ディスク装置（例えばＤＶＤレコーダやＤＶＤプレーヤなど）に関し、特に
、遮蔽板の着脱操作が容易でディスク回転時に不快な騒音を発生させないようにしたもの
である。
【背景技術】
【０００２】
従来、ディスク装置の一例として図７〜図１１に示すものがあり、図７は同平面図、図
８は同側面図、図９は同縦断面図、図１０（ａ）は同要部の分解斜視図、図１０（ｂ）は
同要部の側面図、図１１は同遮蔽板の取付手順を示す横断面図である。
【０００３】
図７及び図９に示すように、ディスクＤ載置用トレイ１を前後方向ａ，ｂに移動可能に
支持する合成樹脂製ローダーシャーシ２内に枢支軸３を中心に上下動ｃ，ｄ可能なトラバ
ースシャーシ４が配置され、該トラバースシャーシ４上の後方にガイドレール５を介して
対物レンズＯＬ付き光ピックアップ６が移動可能に配置されると共に、そのトラバースシ
ャーシ４上の前方にターンテーブル７付きスピンドルモータ８が配置され、ローダーシャ
ーシ２の前部にカムスライダ９が前後方向ａ，ｂとは直交する左右方向ｅ，ｆに移動可能
に配置されると共に、該カムスライダ９のカム溝１０にトラバースシャーシ４の前面に突
設したカムピン１１が嵌入され、ローダーシャーシ２の両シャーシ側板２Ａ間に横桁１２
が架設され、該横桁１２の中央にクランパ１３を収納するクランパ収納部１４が一体形成
されている。
【０００４】
図１０に示すように、各シャーシ側板２Ａの上面２ａに所定間隔をおいて複数（この例
では２本ずつ）のロック杆１５が一体突設され、その各ロック杆１５の外側面１５ａが各
シャーシ側板２Ａの外側面２ｂと面一状に形成され、各ロック杆１５の上端部に抜止フッ
ク１６が外向きに一体突設されている。
【０００５】
図７及び図８に示すように、前記遮蔽板１８は、金属板により成形されて両シャーシ側
板２Ａ間に架設される遮蔽板本体１８Ａと、該遮蔽板本体１８Ａの両側縁から直角に下向
きに折り曲げられた一対の側板１８Ｂとを有し、該各側板１８Ｂがその中央に形成した切
欠溝１９により前後に２分割され、各ロック杆１５に対向して各側板１８Ｂから遮蔽板本
体１８Ａにかけて嵌合孔２０が貫設され、該嵌合孔２０の側板１８Ｂ側の内周縁に舌片２
１が一体突設され、該各舌片２１が各側板１８Ｂと面一状に形成されている。また、遮蔽
板本体１８Ａの前端縁中央に一体突設した略Ｌ字状クランパ押さえ板１８Ｃがクランパ収
納部１４の側面から上面に沿って前方に向けて延ばされている。
【０００６】
情報読取手順を説明すると、図９に実線で示すプレイモードでは、ディスクＤをクラン
パ１３とターンテーブル７とでクランプしており、スピンドルモータ８によりターンテー
ブル７を介してディスクＤを高速回転させ、光ピックアップ６を駆動することにより、対
物レンズＯＬからレーザ光をディスクＤに投射し、その反射光を対物レンズＯＬを通して
受光し、ディスクＤに記録されている映像情報の再生や録画を行う。
【０００７】
このプレイモードでは、遮蔽板１８により対物レンズＯＬから投射されるレーザ光が外
部に漏れるのを遮断する。
【０００８】
アンローディング信号が入力されると、スピンドルモータ８の駆動を停止させ、光ピッ
クアップ６を最前方ａ位置まで移動させ、カムスライダ９を左方向ｅ（または右方向ｆ）
にスライドさせることにより、カム溝１０及びカムピン１１を介してトラバースシャーシ
４を枢支軸３回りで下動ｄさせ（図９仮想線参照）、これにより、ディスクＤをトレイ１
上に載置し、該トレイ１を前方ａへ移動させ（図９仮想線参照）、そのトレイ１上のディ
スクＤを取り外したり新しいディスクＤを載置した後、ローディング信号に基づいて上記
とは逆野手順でプレイモードに戻す。
【０００９】
遮蔽板１８の取付手順を図１１に基づいて説明すると、作業員が把持した遮蔽板１８を
ローダーシャーシ２の上方から下降させることにより（図１１の１点鎖線参照）、各側板
１８Ｂを各ロック杆１５の抜止フック１６に強く押し付け（図１１の２点鎖線参照）、該
各側板１８Ｂを弾性変位させて各抜止フック１６の外側を通過させ、その通過後、各側板
１８Ｂを元の状態に戻してシャーシ側板２Ａの外側面２ｂに接近させると共に、遮蔽板本
体１８Ａを両シャーシ側板２Ａ上に載置させる（図１１の実線参照）。また、遮蔽板１８
をローダーシャーシ２から取り外す場合には、上記とは逆の手順で行えばよい。なお、関
連する技術として特許文献１に記載したものがある。
【特許文献１】特開２００５−３３２５３６号公報
【発明の開示】
【発明が解決しようとする課題】
【００１０】
上記従来の構成では、遮蔽板１８の各側板１８Ｂが遮蔽板本体１８Ａから直角に折り曲
げられているため、該遮蔽板１８をローダーシャーシ２に取り付ける場合に、各側板１８
Ｂを大きく弾性変位させて各抜止フック１６の外側を通過させる必要があり、また、遮蔽
板１８をローダーシャーシ２から取り外す場合にも、舌片２１の先端縁２１ａが抜止フッ
ク１６の下面に接近しているため、各側板１８Ｂを上記とは逆の手順で大きく弾性変位さ
せる必要があり、作業員に過大な労力を強いることになって、作業能率が極めて低い。
【００１１】
更に、各抜止フック１６により遮蔽板１８がローダーシャーシ２から外れないようにし
ているだけであるから、プレイモードでスピンドルモータ８を高速駆動することにより生
じた回転力がローダーシャーシ２を介して遮蔽板１８に伝わることにより、その遮蔽板１
８が微妙に振動して騒音を発生させ、ユーザに不快感を与えていた。
【００１２】
本発明は、上記従来の欠点に鑑み、遮蔽板の着脱操作が容易でディスク回転時に不快な
騒音を発生させないようにしたディスク装置を提供することを目的としている。
【課題を解決するための手段】
【００１３】
上記目的を達成するため、請求項１に記載の発明は、ローダーシャーシ内の前方にター
ンテーブルが配置されると共に、該ローダーシャーシの後方に光ピックアップが配置され
、前記ターンテーブルに対向してローダーシャーシの両シャーシ側板間に横桁が架設され
、該横桁の中央にクランパを一定範囲内昇降可能に収納するクランパ収納部が一体形成さ
れ、その横桁に隣接して光ピックアップに対向する遮蔽板が両シャーシ側板間に載置され
ており、前記クランパとターンテーブルとでディスクをクランプし、ターンテーブルによ
りディスクを高速回転させると共に、そのディスクに光ピックアップからレーザ光を投射
し、その反射光に基づいてディスクに記録されている情報を読み取るようにしたディスク
装置において、前記各シャーシ側板に所定間隔をおいて複数のロック杆が一体突設される
と共に、該各ロック杆の上部が各シャーシ側板の上面から上方に突出され、その各ロック
杆の外側面が各シャーシ側板の上面と外側面との間の外側角部よりもローダーシャーシの
中央側に後退され、前記遮蔽板が、金属板により成形されて両シャーシ側板間に架設され
る遮蔽板本体と、前記各ロック杆に対向して遮蔽板本体の両側縁に一体突設された弾性変
位可能な複数の突出板とからなり、該各突出板から遮蔽板本体にかけて嵌合孔が貫設され
、該各嵌合孔の突出板側の内周縁に舌片が一体突設され、前記各突出板が斜め下向きに所
定の傾斜角度で折り曲げられることにより、各舌片が斜め上向きに傾斜されており、各嵌
合孔を各ロック杆に遊嵌合させて遮蔽板本体を両シャーシ側板上に載置することにより、
各突出板が各シャーシ側板の外側角部に押し付けられて外向きに弾性変位され、それに連
動して各舌片が内向きに弾性変位されて該各舌片の先端縁が各ロック杆の外側面に圧接さ
れ、前記各突出板の傾斜角度が遮蔽板本体に対して直交する仮想線から１５°〜３５°（
好ましくは２０°〜２５°）に設定され、前記各ロック杆の上端部に抜止フックが一体突
設され、前記遮蔽板本体の前端縁中央に一体突設したクランパ押さえ板の先端に対向して
クランパ収納部に係合孔が形成されており、該係合孔にクランパ押さえ板の先端を弾性変
位させて嵌入させていることを特徴としている。
【００１４】
請求項２に記載の発明は、ローダーシャーシ内の前方にターンテーブルが配置されると
共に、該ローダーシャーシの後方に光ピックアップが配置され、前記ターンテーブルに対
向してローダーシャーシの両シャーシ側板間に横桁が架設され、該横桁の中央にクランパ
を一定範囲内昇降可能に収納するクランパ収納部が一体形成され、その横桁に隣接して光
ピックアップに対向する遮蔽板が両シャーシ側板間に載置されており、前記クランパとタ
ーンテーブルとでディスクをクランプし、ターンテーブルによりディスクを高速回転させ
ると共に、そのディスクに光ピックアップからレーザ光を投射し、その反射光に基づいて
ディスクに記録されている情報を読み取るようにしたディスク装置において、前記各シャ
ーシ側板に所定間隔をおいて複数のロック杆が一体突設されると共に、該各ロック杆の上
部が各シャーシ側板の上面から上方に突出され、その各ロック杆の外側面が各シャーシ側
板の上面と外側面との間の外側角部よりもローダーシャーシの中央側に後退され、前記遮
蔽板が、金属板により成形されて両シャーシ側板間に架設される遮蔽板本体と、前記各ロ
ック杆に対向して遮蔽板本体の両側縁に一体突設された弾性変位可能な複数の突出板とか
らなり、該各突出板から遮蔽板本体にかけて嵌合孔が貫設され、該各嵌合孔の突出板側の
内周縁に舌片が一体突設され、前記各突出板が斜め下向きに所定の傾斜角度で折り曲げら
れることにより、各舌片が斜め上向きに傾斜されており、各嵌合孔を各ロック杆に遊嵌合
させて遮蔽板本体を両シャーシ側板上に載置することにより、各突出板が各シャーシ側板
の外側角部に押し付けられて外向きに弾性変位され、それに連動して各舌片が内向きに弾
性変位されて該各舌片の先端縁が各ロック杆の外側面に圧接されていることを特徴として
いる。
【００１５】
請求項３に記載の発明は、請求項２に記載の発明において、前記各突出板の傾斜角度が
遮蔽板本体に対して直交する仮想線から１５°〜３５°（好ましくは２０°〜２５°）に
設定されていることを特徴としている。
【００１６】
請求項４に記載の発明は、請求項２または４に記載の発明において、前記各ロック杆の
上端部に抜止フックが一体突設されていることを特徴としている。
【００１７】
請求項５に記載の発明は、請求項２〜４のいずれかに記載の発明において、前記遮蔽板
本体の前端縁中央に一体突設したクランパ押さえ板の先端に対向してクランパ収納部に係
合孔が形成されており、該係合孔にクランパ押さえ板の先端を弾性変位させて嵌入させて
いることを特徴としている。
【発明の効果】
【００１８】
請求項１に記載の発明は、実施の一形態（図１〜図６参照）に対応するものであって、
これによれば、各突出板が各シャーシ側板の外側角部に押し付けられて外向きに弾性変位
され、それに連動して各舌片が内向きに弾性変位されて該各舌片の先端縁が各ロック杆の
外側面に圧接されているから、ディスクを高速回転させることにより生じた振動がローダ
ーシャーシを介して遮蔽板に伝わっても、その振動が各突出板及び各舌片の弾性変位によ
り吸収され、その遮蔽板が従来のように振動して騒音を発生させることがなく、ユーザー
に不快感を与えず、商品価値が高い。
【００１９】
また、各突出板の傾斜角度が遮蔽板本体に対して直交する仮想線から１５°未満の場合
には、該各突出板が起立姿勢に近いから、遮蔽板をローダーシャーシに取り付ける際に、
各突出板を各ロック杆に強く押し付けて該各突出板を比較的大きく弾性変位させる必要が
あり、また、各突出板の傾斜角度が３５°を超える場合には、該各突出板が横倒し姿勢に
近いから、遮蔽板をローダーシャーシから取り外す際に、上記と逆の手順で各突出板を比
較的大きく弾性変位させる必要があり、いずれにしても作業員に過大な労力を強いること
になり、作業能率が低い。
【００２０】
そこで、本発明では、各突出板の傾斜角度が遮蔽板本体に対して直交する仮想線から１
５°〜３５°（好ましくは２０°〜２５°）に設定されており、遮蔽板をローダーシャー
シに取り付ける場合に、各突出板を各ロック杆に押し付けて該各突出板を比較的小さく弾
性変位させるだけで、各嵌合孔をロック杆に遊嵌合させて遮蔽板本体を両シャーシ側板上
に載置することがことができ、また、遮蔽板をローダーシャーシから取り外す場合にも、
上記と逆の手順で各突出板を比較的小さく弾性変位させるだけでよいから、作業員に過大
な労力を強いることがなく、その着脱作業を能率良く行うことができる。
【００２１】
更に、各ロック杆の上端部に抜止フックが一体突設されているから、例えば落下などの
過大な衝撃力がかかったとしても、その各抜止フックに各舌片が引っ掛かるので、遮蔽板
がローダーシャーシに取り付けられた状態を確実に維持することができる。
【００２２】
しかも、遮蔽板本体の前端縁中央に一体突設したクランパ押さえ板の先端を弾性変位さ
せてクランパ収納部の係合孔に嵌入させているので、そのクランパ押さえ板が振動して騒
音を発生させるのを確実に阻止することができる。
【００２３】
請求項２に記載の発明は、基本形態に対応するものであって、これによれば、各突出板
が各シャーシ側板の外側角部に押し付けられて外向きに弾性変位され、それに連動して各
舌片が内向きに弾性変位されて該各舌片の先端縁が各ロック杆の外側面に圧接されている
から、ディスクを高速回転させることにより生じた振動がローダーシャーシを介して遮蔽
板に伝わっても、その振動が各突出板及び各舌片の弾性変位により吸収され、その遮蔽板
が従来のように振動して騒音を発生させることがなく、ユーザーに不快感を与えず、商品
価値が高い。
【００２４】
請求項３に記載の発明において、各突出板の傾斜角度が遮蔽板本体に対して直交する仮
想線から１５°未満の場合には、該各突出板が起立姿勢に近いから、遮蔽板をローダーシ
ャーシに取り付ける際に、各突出板を各ロック杆に強く押し付けて該各突出板を比較的大
きく弾性変位させる必要があり、また、各突出板の傾斜角度が３５°を超える場合には、
該各突出板が横倒し姿勢に近いから、遮蔽板をローダーシャーシから取り外す際に、上記
と逆の手順で各突出板を比較的大きく弾性変位させる必要があり、いずれにしても作業員
に過大な労力を強いることになり、作業能率が低い。
【００２５】
そこで、本発明では、各突出板の傾斜角度が遮蔽板本体に対して直交する仮想線から１
５°〜３５°（好ましくは２０°〜２５°）に設定されており、遮蔽板をローダーシャー
シに取り付ける場合に、各突出板を各ロック杆に押し付けて該各突出板を比較的小さく弾
性変位させるだけで、各嵌合孔をロック杆に遊嵌合させて遮蔽板本体を両シャーシ側板上
に載置することがことができ、また、遮蔽板をローダーシャーシから取り外す場合にも、
上記と逆の手順で各突出板を比較的小さく弾性変位させるだけでよいから、作業員に過大
な労力を強いることがなく、その着脱作業を能率良く行うことができる。
【００２６】
請求項４に記載の発明によれば、各ロック杆の上端部に抜止フックが一体突設されてい
るから、例えば落下などの過大な衝撃力がかかったとしても、各抜止フックに各舌片が引
っ掛かるので、遮蔽板がローダーシャーシに取り付けられた状態を確実に維持することが
できる。
【００２７】
請求項５に記載の発明によれば、遮蔽板本体の前端縁中央に一体突設したクランパ押さ
え板の先端を弾性変位させてクランパ収納部の係合孔に嵌入させているので、そのクラン
パ押さえ板が振動して騒音を発生させるのを確実に阻止することができる。
【発明を実施するための最良の形態】
【００２８】
図１〜図６は本発明の実施の一形態であるディスク装置を示すものであり、図１は同平
面図、図２は同側面図、図３は同斜視図、図４（ａ）は同要部の分解斜視図、図４（ｂ）
は同要部の側面図、図５は同遮蔽板の取付手順を示す横断面図、図６（ａ）は同遮蔽板の
固定直前状態を示す要部の拡大横断面図、図６（ｂ）は同遮蔽板の固定状態を示す要部の
拡大横断面図である。
【００２９】
図１〜図５に示すように、各ロック杆１５に対向して遮蔽板本体１８Ａの両側縁に弾性
変位可能な複数の突出板１８Ｄが一体突設され、該各突出板１８Ｄから遮蔽板本体１８Ａ
にかけて嵌合孔２０が貫設され、該各嵌合孔２０の突出板１８Ｄ側の内周縁に舌片２１が
一体突設され、前記各突出板１８Ｄが斜め下向きに所定の傾斜角度αで折り曲げられるこ
とにより、各舌片２１が斜め上向きに傾斜されている。
【００３０】
図４及び図６に示すように、各ロック杆１５の上部が各シャーシ側板２Ａの上面２ａか
ら上方に突出されると共に、該各ロック杆１５の前後両面に沿ってシャーシ側板２Ａの上
面２ａに一対の凹溝２３を形成することにより、その各ロック杆１５の高さｈが従来（図
１０参照）に比べて長尺に設定されている。
【００３１】
また、各シャーシ側板２Ａの両凹溝２３間の内外両側面に凹段部２４が形成され、それ
に対応して各ロック杆１５の厚さｔが小さく設定されており、これによって、各ロック杆
１５が弾性可能に形成されている〔図６（ａ）の仮想線参照〕。
【００３２】
更に、各ロック杆１５の外側面１５ａが各シャーシ側板２Ａの上面２ａと外側面２ｂと
の間の外側角部２５よりもローダーシャーシ２の中央側に所定間隔ｊだけ後退されている
（図５参照）。
【００３３】
図５に示すように、遮蔽板本体１８Ａの横断方向に沿って対向する両突出板１８Ｄと該
遮蔽板本体１８Ａとの間に形成される２つの内側角部２６間の間隔Ｌ１を両シャーシ側板
２Ａの２つの外側角部２５間の間隔Ｌ２よりもわずかに小さく設定しており（Ｌ１＜Ｌ２
）、これによって、遮蔽板１８をローダーシャーシ２に被せたときに、各突出板１８Ｄが
各外側角部２５に当接される〔図６（ａ）参照〕。上記以外の構成は図７〜図１１に示す
従来例とほぼ同じであるから、同一部分に同一符号を付してその説明を省略する。
【００３４】
遮蔽板１８の取付手順を図５及び図６に基づいて説明すると、作業員が把持した遮蔽板
１８をローダーシャーシ２の上方から下降させることにより（図５の１点鎖線参照）、各
突出板１８Ｄを各ロック杆１５の抜止フック１６に押し付けることにより（図５の２点鎖
線参照）、該各突出板１８Ｄを弾性変位させて各抜止フック１６の外側を通過させ、その
通過後、各突出板１８Ｄを元の状態に戻して各外側角部２５に当接させ、図６（ａ）に示
すように、遮蔽板本体１８Ａを下向きに押圧Ｐする。これにより、各突出板１８Ｄが外側
角部２５に押し付けられて外向きｋに弾性変位され、それに連動して各舌片２１が内向き
ｍに弾性変位されて該各舌片２１の先端縁２１ａが各ロック杆１５の外側面１５ａに圧接
され、各ロック杆１５もわずかに弾性変位して、その各ロック杆１５の外側面１５ａと各
舌片２１の先端縁２１ａとが互いに押し合って圧接され、遮蔽板本体１８Ａが両シャーシ
側板２Ａの上面２ａに載置される〔図５の実線及び図６（ｂ）参照〕。
【００３５】
上記構成によれば、遮蔽板本体１８Ａが各突出板１８Ｄ及び舌片２１からなる弾性体を
介してローダーシャーシ２に取り付けられているから、ディスクＤを高速回転させること
により生じた振動がローダーシャーシ２を介して遮蔽板１８に伝わっても、その振動が各
突出板１８Ｄ及び各舌片２１の弾性変位により吸収され、その遮蔽板１８が従来のように
振動して騒音を発生させることがなく、ユーザーに不快感を与えず、商品価値が高い。
【００３６】
また、各ロック杆１５の上端部に抜止フック１６が一体突設されているから、例えば落
下などの過大な衝撃力がかかったとしても、その各抜止フック１６に各舌片２１が引っ掛
かるので、遮蔽板１８がローダーシャーシ２に取り付けられた状態を確実に維持すること
ができる。
【００３７】
図５に基づいて各突出板１８Ｄの傾斜角度αを説明すると、その傾斜角度αが遮蔽板本
体１８Ａに対して直交する仮想線Ｓから１５°未満の場合には、該各突出板１８Ｄが起立
姿勢に近くて、従来例の側板１８Ｂ（図１１参照）と姿勢があまり変わらないから、遮蔽
板１８をローダーシャーシ２に取り付ける際に、各突出板１８Ｄを各ロック杆１５に強く
押し付けて該各突出板１８Ｄを比較的大きく弾性変位させる必要があり、また、各突出板
１８Ｄの傾斜角度αが３５°を超える場合には、該各突出板１８Ｄが横倒し姿勢に近いか
ら、遮蔽板１８をローダーシャーシ２から取り外す際に、上記と逆の手順で各突出板１８
Ｄを比較的大きく弾性変位させる必要があり、いずれにしても作業員に過大な労力を強い
ることになり、作業能率が低い。
【００３８】
そこで、本発明の実施の一形態では、各突出板１８Ｄの傾斜角度αが１５°〜３５°（
好ましくは２０°〜２５°）に設定されており、遮蔽板１８をローダーシャーシ２に取り
付ける場合に、各突出板１８Ｄを各ロック杆１５に押し付けて該各突出板１８Ｄを比較的
小さく弾性変位させるだけで、各嵌合孔２０を各ロック杆１５に遊嵌合させて遮蔽板本体
１８Ａを両シャーシ側板２Ａ上に載置することがことができ〔図５の実線及び図６（ｂ）
参照〕、また、遮蔽板１８をローダーシャーシ２から取り外す場合にも、ロック杆１５の
外側面１５ａに圧接する舌片２１の先端縁２１ａと抜止フック１６との間に比較的大きな
隙間ｎが確保されているから〔図６（ｂ）参照〕、上記と逆の手順で各突出板１８Ｄを比
較的小さく弾性変位させるだけで簡単に取り外すことができ、作業員に過大な労力を強い
ることがなく、その着脱作業を能率良く行うことができる。
【００３９】
図１及び図２に示すように、遮蔽板本体１８Ａの前端縁中央に一体突設したクランパ押
さえ板１８Ｃの先端に対向してクランパ収納部１４に係合孔２７が形成されており、クラ
ンパ押さえ板１８Ｃの先端をわずかの間隔βであるが弾性変位させて係合孔２７に嵌入さ
せることにより、そのクランパ押さえ板１８Ｃが振動して騒音を発生させるのを確実に阻
止することができる。
【図面の簡単な説明】
【００４０】
【図１】本発明の実施の一形態であるディスク装置を示す同平面図である。
【図２】同側面図である。
【図３】同斜視図である。
【図４】（ａ）は同要部の分解斜視図、（ｂ）は同要部の側面図である。
【図５】同遮蔽板の取付手順を示す横断面図である。
【図６】（ａ）は同遮蔽板の固定直前状態を示す要部の拡大横断面図、（ｂ）は同遮蔽板の固定状態を示す要部の拡大横断面図である。
【図７】従来例を示す平面図である。
【図８】同側面図である。
【図９】同縦断面図である。
【図１０】（ａ）は同要部の分解斜視図、（ｂ）は同要部の側面図である。
【図１１】同遮蔽板の取付手順を示す横断面図である。
【符号の説明】
【００４１】
２          ローダーシャーシ
２Ａ        シャーシ側板
６          光ピックアップ
７          ターンテーブル
１２        横桁
１３        クランパ
１４        クランパ収納部
１５        ロック杆
１５ａ      ロック杆の外側面
１６        抜止フック
１８        遮蔽板
１８Ａ      遮蔽板本体
１８Ｃ      クランパ押さえ板
１８Ｄ      突出板
２０        嵌合孔
２１        舌片
２５        外側角部
２７        係合孔
α          突出板の傾斜角度
Ｓ          仮想線
【図１】
2008171463.tif 000003
【図２】
2008171463.tif 000004
【図３】
2008171463.tif 000005
【図４】
2008171463.tif 000006
【図５】
2008171463.tif 000007
【図６】
2008171463.tif 000008
【図７】
2008171463.tif 000009
【図８】
2008171463.tif 000010
【図９】
2008171463.tif 000011
【図１０】
2008171463.tif 000012
【図１１】
2008171463.tif 000013